(57)【要約】  本技術は、アンテナ装置を小型化し、通信性能を向上させることができるようにするアンテナ装置、通信装置に関する。ソレノイドコイル型のソレノイド型アンテナと、ソレノイド型アンテナの長さ方向で重なる部分があるように配置された金属板とを備える。重なる部分は、ソレノイド型アンテナの長さの５０乃至８０％の長さに相当する部分である。また金属板には、スリットが形成され、スリットと並行にソレノイド型アンテナが配置されている。本技術は、無線による通信を行う通信装置に含まれるアンテナ装置に適用できる。
2019044570.tif 000002
【特許請求の範囲】
【請求項１】
ソレノイドコイル型のソレノイド型アンテナと、
前記ソレノイド型アンテナの長さ方向で重なる部分があるように配置された金属板と
を備えるアンテナ装置。
【請求項２】
前記重なる部分は、前記ソレノイド型アンテナの長さの５０乃至８０％の長さに相当する部分である
請求項１に記載のアンテナ装置。
【請求項３】
前記重なる部分は、前記ソレノイド型アンテナの長さの０乃至１００％の長さに相当する部分である
請求項１に記載のアンテナ装置。
【請求項４】
前記金属板には、スリットが形成され、
前記スリットと並行に前記ソレノイド型アンテナが配置されている
請求項１に記載のアンテナ装置。
【請求項５】
前記スリットの幅は、前記ソレノイド型アンテナの幅の１倍以上で形成されている
請求項４に記載のアンテナ装置。
【請求項６】
前記金属板の前記スリットが形成されている側と逆側に穴が形成されている
請求項４に記載のアンテナ装置。
【請求項７】
前記穴は、前記ソレノイド型アンテナの中心芯よりも、下方に形成されている
請求項６に記載のアンテナ装置。
【請求項８】
前記スリットと前記穴は、重なる部分がない
請求項６に記載のアンテナ装置。
【請求項９】
前記ソレノイド型アンテナは、前記金属板に、接触しない位置であり、かつ最小となる距離を保って配置されている
請求項１に記載のアンテナ装置。
【請求項１０】
前記ソレノイド型アンテナと前記金属板との間の距離は、前記ソレノイド型アンテナの直径の０％より大きく、１００％以下である
請求項１に記載のアンテナ装置。
【請求項１１】
前記金属板は、筐体として機能する
請求項１に記載のアンテナ装置。
【請求項１２】
前記金属板は、非金属に金属を被覆したもの、または非金属と金属を複合したものである
請求項１に記載のアンテナ装置。
【請求項１３】
前記ソレノイド型アンテナは、磁性体材料をコア材とし、前記コア材に金属を巻き付けたソレノイドで構成されている
請求項１に記載のアンテナ装置。
【請求項１４】
前記ソレノイド型アンテナは、
磁性体基板の上面と下面に、線状に形成された金属線と、
前記上面に形成された前記金属線と前記下面に形成された金属線を接続するビアと
を備える
請求項１に記載のアンテナ装置。
【請求項１５】
前記ソレノイド型アンテナと前記金属板との間の距離は、前記ソレノイド型アンテナの厚さの０％より大きく、２００％以下である
請求項１４に記載のアンテナ装置。
【請求項１６】
前記アンテナ装置は、基板と一体化または埋め込まれている
請求項１４に記載のアンテナ装置。
【請求項１７】
ソレノイドコイル型のソレノイド型アンテナと、
前記ソレノイド型アンテナの長さ方向で重なる部分があるように配置された金属板と
を備え、
前記金属板は、筐体の一部をなし、
前記筐体に前記ソレノイド型アンテナが内包され、
前記ソレノイド型アンテナの一部分は、前記金属板と重なり、残りの部分は、スリットの部分に配置されている
通信装置。
【発明の詳細な説明】
【技術分野】
【０００１】
本技術はアンテナ装置、通信装置に関し、例えば、NFC（Near field radio communication）RFID（Radio Frequency Identifier）、ワイヤレス給電などの比較的近距離における無線通信に利用する通信装置と、前記通信装置に適用して好適なアンテナ装置に関する。
【背景技術】
【０００２】
近年、駅の改札や無線タグ（Tag）など、比較的近距離における無線通信を使用する無線伝送システムが各種普及してきている。このような無線伝送システムにおいては、磁界結合による通信が用いられるため、平面スパイラル型のコイルをアンテナとして端末機器に組み込むのが通常である。【０００３】
しかしながら、通信相手である、例えば、改札機などとの通信を安定に行うためには、通信相手側のコイル（アンテナ）との結合を強くする必要がある。そのため、端末に実装されるスパイラル型コイルが大きくなり、機器の小型化を妨げてしまうという問題があった。【０００４】
この問題に対処するため、例えば、特許文献１においては、平面スパイラル型アンテナを小型化し、その近傍に切欠きを設けた金属板を配置することが提案されている。【０００５】
また特許文献２においては、ソレノイド型のアンテナを金属板で挟み、一部にスリットを入れる構造が提案されている。
【先行技術文献】
【特許文献】
【０００６】
【特許文献１】特開2014-232904号公報
【特許文献２】特開2013-013149号公報
【発明の概要】
【発明が解決しようとする課題】
【０００７】
特許文献１で提案されている平面スパイラル型アンテナにおいては、磁界を通信相手側のコイル（アンテナ）に向け、ある程度の強さで放射するには、一定の面積、例えば、特許文献１においては１４ｍｍ×１４ｍｍ程度の面積が必要とされる。【０００８】
すなわち、平面スパイラル型アンテナによると、小型化には限界があった。また、金属板にも切欠きが必須であった。また特許文献１には、平面スパイラル型アンテナと切欠きを設けた金属板の組み合わせの条件で通信特性が変化する結果が示されているが、アンテナ形状などが変わった際にどのようなふるまいになるかは不明であり、アンテナ形状と切欠きの組み合わせによっては、通信性能が低下してしまう可能性もあった。【０００９】
特許文献２において提案されている金属板は、アンテナに入射する外乱磁界を遮蔽するために適切に設けられたものであるため、アンテナからの放射磁界は弱められることになる。また完全に金属板でシールドしてしまうと外乱ばかりか自身の所望の磁界も遮蔽してしまうため、それを避けるためにスリットが設けられていた。よって、特許文献２においても、通信性能が低下してしまう可能性もあった。【００１０】
通信性能を低下させることなく、アンテナを小型化できることが望まれている。またアンテナが小型化されたときにも、さらに性能が向上することが望まれている。【００１１】
本技術は、このような状況に鑑みてなされたものであり、通信性能を低下させることなく、アンテナを小型化でき、小型化してもさらに性能を向上させることができるようにするものである。
【課題を解決するための手段】
【００１２】
本技術の一側面のアンテナ装置は、ソレノイドコイル型のソレノイド型アンテナと、前記ソレノイド型アンテナの長さ方向で重なる部分があるように配置された金属板とを備える。【００１３】
本技術の一側面の通信装置は、ソレノイドコイル型のソレノイド型アンテナと、前記ソレノイド型アンテナの長さ方向で重なる部分があるように配置された金属板とを備え、前記金属板は、筐体の一部をなし、前記筐体に前記ソレノイド型アンテナが内包され、前記ソレノイド型アンテナの一部分は、前記金属板と重なり、残りの部分は、前記スリットの部分に配置されている。【００１４】
本技術の一側面のアンテナ装置においては、ソレノイドコイル型のソレノイド型アンテナと、ソレノイド型アンテナの長さ方向で重なる部分があるように配置された金属板とが少なくとも備えられている。【００１５】
本技術の一側面の通信装置においては、ソレノイドコイル型のソレノイド型アンテナと、ソレノイド型アンテナの長さ方向で重なる部分があるように配置された金属板とが少なくとも備えられ、金属板は、筐体の一部をなし、筐体にソレノイド型アンテナが内包され、ソレノイド型アンテナの一部分は、金属板と重なり、残りの部分は、スリットの部分に配置されている。【００１６】
なお、アンテナ装置は、独立した装置であっても良いし、１つの装置を構成している内部ブロックであっても良い。【００１７】
なお、通信装置は、独立した装置であっても良いし、１つの装置を構成している内部ブロックであっても良い。
【発明の効果】
【００１８】
本技術の一側面によれば、通信性能を低下させることなく、アンテナを小型化でき、小型化してもさらに性能を向上させることができる。【００１９】
なお、ここに記載された効果は必ずしも限定されるものではなく、本開示中に記載されたいずれかの効果であってもよい。
【図面の簡単な説明】
【００２０】
【図１】本技術が適用されるシステムの一実施の形態の構成を示す図である。
【図２】本技術が適用されるアンテナ装置の一実施の形態の構成を示す図である。
【図３】ソレノイド型アンテナの構成について説明するための図である。
【図４】重なり量について説明するための図である。
【図５】重なり量について説明するための図である。
【図６】通信性能の変化について説明するための図である。
【図７】通信性能の測定の仕方について説明するための図である。
【図８】発生する電磁界について説明するための図である。
【図９】発生する電磁界について説明するための図である。
【図１０】発生する電磁界について説明するための図である。
【図１１】金属板の他の構成について説明するための図である。
【図１２】金属板のさらに他の構成について説明するための図である。
【図１３】穴について説明するための図である。
【図１４】金属板のさらに他の構成について説明するための図である。
【図１５】金属板のさらに他の構成について説明するための図である。
【図１６】発生する電磁界について説明するための図である。
【図１７】金属板のさらに他の構成について説明するための図である。
【図１８】金属板を筐体として構成した場合の構成について説明するための図である。
【図１９】ソレノイド型アンテナの他の構成について説明するための図である。
【図２０】ソレノイド型アンテナの構成について説明するための断面図である。
【図２１】ソレノイド型アンテナと金属との位置関係について説明するための図である。
【図２２】ソレノイド型アンテナを基板と一体化に構成した場合について説明するための図である。
【図２３】ソレノイド型アンテナと金属との位置関係について説明するための図である。
【図２４】ソレノイド型アンテナの製造について説明するための図である。
【発明を実施するための形態】
【００２１】
以下に、本技術を実施するための形態（以下、実施の形態という）について説明する。
【００２２】
＜通信システムの構成＞
図１は、本技術を適用した通信システム１の構成の一実施の形態を示すブロック図である。
【００２３】
通信システム１は、例えば、NFC（Near field radio communication）、RFID（Radio Frequency Identifier）、ワイヤレス給電などの比較的近距離における無線通信を行うシステムである。
【００２４】
図１の通信システム１は、リーダライタ１１と携帯端末装置１２から構成される。例えば、リーダライタ１１は、パーソナルコンピュータの構成の一部として設けられ、携帯端末装置１２は、無線での通話機能を有する携帯電話機とされる。
【００２５】
また、例えば、携帯端末装置１２は、無線タグであり、リーダライタ１１は、この無線タグと通信を行う装置である。また例えば、携帯端末装置１２は、駅の改札を通過するときに用いられるカード型の通信装置であり、リーダライタ１１は、駅の改札口に設置され、カード型の通信装置と通信を行う装置である。
【００２６】
このように、リーダライタ１１と携帯端末装置１２は、無線でデータの授受を行う装置であり、その形態はどのようなものであっても良い。例えば、上記したように、携帯端末装置１２は、携帯電話機のような装置であっても良いし、携帯電話機に含まれるカードであっても良いし、単体で利用されるカード型の通信装置であっても良いし、シール状の通信装置であっても良いし、ウエアラブル装置に組み込まれている通信装置であっても良い。
【００２７】
以下の説明においては、携帯端末装置１２を例に挙げて説明を続ける。通信システム１においては、ユーザが携帯端末装置１２をリーダライタ１１にかざすなどして、リーダライタ１１と携帯端末装置１２とを互いに近接させることにより、リーダライタ１１から発生される磁界を介して近接通信が行われる。
【００２８】
この近接通信においてリーダライタ１１は、所定のコマンドを携帯端末装置１２に送信する。携帯端末装置１２は、リーダライタ１１から送信されてくるコマンドを受信し、そのコマンドに応じた処理を行ったり、受信したコマンドに対する応答コマンドを携帯端末装置１２に送信したりする。
【００２９】
＜アンテナ装置の構成＞
リーダライタ１１と携帯端末装置１２は、無線により通信を行うため、それぞれアンテナ装置を備える構成とされている。ここで、携帯端末装置１２に備えられているアンテナ装置について説明を加える。
【００３０】
図２は、本技術を適用したアンテナ装置の一実施の形態の構成を示す図である。アンテナ装置２１は、ソレノイド型アンテナ２２と金属板２３から構成されている。
【００３１】
ソレノイド型アンテナ２２は、図３に示すように円筒形状にワイヤがまかれた構成になっている。また、ソレノイド型アンテナ２２において、ソレノイド型アンテナ２２の巻き方向は、通信相手側のコイル（アンテナ、例えば、後述する図７に示したアンテナ５１）が配置される面に対して平行、すなわち、なす角が０度に対して、±９０度となるように配置されている。
【００３２】
以下の説明において、ソレノイド型アンテナ２２の長さを長さａとし、直径を径ｂ（幅を幅b）とする。一例として、長さａ＝10ｍｍ、径ｂ＝1ｍｍに構成される。以下の説明において、シミュレーション結果などを示すが、そのシミュレーションは、この大きさのソレノイド型アンテナ２２を用いた場合であるとして説明を続ける。
【００３３】
図３に示したソレノイド型アンテナ２２は、円筒状に図示してあるが、例えば、矩形状であってもよいし、芯材にまかれていてもよい。芯材は誘電体でも磁性体でも良い。
【００３４】
このように、ソレノイド型アンテナ２２の形状は、適宜変更することができ、その大きさもアンテナ装置２１が搭載される製品の形状や大きさ、アンテナ装置２１に対して所望とされる通信性能などに応じて適宜変更可能である。
【００３５】
シミュレーション結果などを参照して後述するように、本技術を適用したアンテナ装置２１によれば、ソレノイド型アンテナ２２の大きさを、上記したように、約１０×１ｍｍ程度の、比較的小さな大きさにしても、通信性能を向上させることができる。例えば、平面スパイラル型のアンテナは、１４×１４ｍｍ程度の大きさが必要とされるが、本技術によれば、平面スパイラル型のアンテナよりも小型化することが可能である。
【００３６】
ソレノイド型アンテナ２２を用いる場合、ソレノイド型アンテナ２２の巻き方向が、通信相手側(例えば、リーダライタ１１)のコイル（アンテナ）が配置される面と平行になるように、ソレノイド型アンテナ２２を配置することが基本となる。ソレノイド型アンテナ２２は、面方向に同心円上にコイルが形成される平面スパイラル型アンテナとは異なり、専有面積は極めて小さくすることができる。
【００３７】
このような小型化可能なソレノイド型アンテナ２２を用いても、通信性能を、平面スパイラル型アンテナと同等または向上させるために、本技術を適用したアンテナ装置２１は、図２に示したように、ソレノイド型アンテナ２２の一部を覆うように、金属板２３が配置されている。金属板２３は、ソレノイド型アンテナ２２の通信相手側の面に配置される。
【００３８】
アンテナ装置２１として、ソレノイド型アンテナ２２を用いることで、平面スパイラル型アンテナよりも専有面積を小さくできるが、磁界の放射方向は、平面スパイラル型アンテナが通信相手側のコイル（アンテナ）に向かって発射するのに対して、ソレノイド型アンテナ２２では、通信相手側のコイル（アンテナ）とは直交した方向に向かって発射される。
【００３９】
このため、通信相手側のコイル（アンテナ）との磁界結合強度、すなわち通信性能的には低下してしまう可能性がある。しかしながら、図２に示したように、ソレノイド型アンテナ２２の一部を覆う（近傍に位置する)ように、金属板２３を配置することで、通信相手側のコイル（アンテナ）との磁界結合強度を落とすことなく、すなわち通信性能的に劣化させることなく、アンテナ装置２１を小型化することができる。
【００４０】
図２を再度参照するに、アンテナ装置２１は、ソレノイド型アンテナ２２上に、所定の間隔を開けて金属板２３が配置された構成とされている。ソレノイド型アンテナ２２と金属板２３は、例えば、１ｍｍ程度のスペースが設けられている。すなわち、ソレノイド型アンテナ２２と金属板２３は、接触しない状態で配置されている。
【００４１】
配置される金属板２３の大きさは、例えば、長さ＝５０ｍｍ、幅２５ｍｍ、厚さ＝０．１ｍｍ程度に構成することができる。なお、金属板２３の大きさは一例であり、限定を示すものではなく、他の大きさであってももちろん良い。金属板２３は、図２に示したように、切欠きなどがない、四角形の板状のものを用いることができる。
【００４２】
金属板２３は、ソレノイド型アンテナ２２の一部を覆うように配置されているが、その覆う部分の大きさ（長さ）により、通信性能を調整することができる。金属板２３が、ソレノイド型アンテナ２２を覆う量（金属板２３とソレノイド型アンテナ２２の重なり量）を、ソレノイド型アンテナ２２の長さに対する割合で表し、図４のように定義する。
【００４３】
図４は、ソレノイド型アンテナ２２側から見たとき、換言すれば、通信相手側と逆側から見たときのソレノイド型アンテナ２２と金属板２３との関係を示す図である。
【００４４】
図４のＡ，図４のＢを参照するに、ソレノイド型アンテナ２２の一方の端の位置を位置Ｐ０とし、他方の端の位置を位置Ｐ１とする。図４のＡ，図４のＢでは、図中右側を位置Ｐ０とし、図中左側を位置Ｐ１とする。位置Ｐ０から位置Ｐ１までの長さは、図３に示した長さａに該当する。
【００４５】
図４のＡに示したように、金属板２３の一辺が、ソレノイド型アンテナ２２の位置Ｐ０の辺と重なった状態、換言すれば、ソレノイド型アンテナ２２と金属板２３が重なる部分がない状態であり、ソレノイド型アンテナ２２の境界部分まで、金属板２３がきている状態を、重なり量０％とする。なお、図４では、説明のため、位置Ｐ０（Ｐ１）と金属板２３の一辺は、少しずらして図示してある。
【００４６】
図４のＢに示したように、金属板２３の一辺が、ソレノイド型アンテナ２２の位置Ｐ１の辺と重なった状態、換言すれば、ソレノイド型アンテナ２２が金属板２３に完全に覆われた状態であり、ソレノイド型アンテナ２２の境界部分まで、金属板２３がきている状態を、重なり量１００％とする。
【００４７】
また例えば図５に示したように、重なり量５０％とは、ソレノイド型アンテナ２２の長さａの半分の長さの位置まで、金属板２３が覆う状態を示す。図示はしないが、ソレノイド型アンテナ２２の位置Ｐ０よりも図中右側に金属板２３が位置する場合、マイナスの割合で表し、ソレノイド型アンテナ２２の位置Ｐ１よりも図中左側に金属板２３が位置するような場合、１００％以上の割合で示す。
【００４８】
図６は、重なり量を変化させたときの通信性能を計測したときの結果を示す図である。図６に示したグラフにおいて、横軸は、オフセット量を表し、縦軸は、通信相手側で得られた電圧値を示す。オフセット量とは、上記した重なり量を表す。
【００４９】
図６に示したグラフは、図７に示したような状態で得られた結果である。図７を参照するに、アンテナ装置２１（ソレノイド型アンテナ２２の上方に金属板２３があり、その金属板２３）の上側に、通信相手となる装置のアンテナ５１が配置されている。このアンテナ５１は、直径が７０ｍｍの平面スパイラル型のアンテナであり、電圧を測定するための１ｋΩの電圧モニタ５２が接続されている。また、ソレノイド型アンテナ２２には、電圧１Ｖであり、１３．５６ＭＨｚの定電圧が供給されている。
【００５０】
ソレノイド型アンテナ２２の大きさは、図３を参照して説明した大きさであり、長さａが10ｍｍとされている。図６中、オフセットが、０%のところは、重なり量が０であり、ソレノイド型アンテナ２２に金属板２３が重なっていない状態を表す。また図６中、オフセットが、100%のところは、重なり量が１００％であり、ソレノイド型アンテナ２２が金属板２３に全て覆われている状態を表す。
【００５１】
また、図６中、オフセットが、５０%のところは、重なり量が５０％であり、ソレノイド型アンテナ２２の半分のところまで、金属板２３が重なっている状態を表す。
【００５２】
図７に示したような状態で、ソレノイド型アンテナ２２に１Ｖの電圧をかけたときに、通信相手であるアンテナ５１側で得られた電圧値（電圧モニタ５２で計測された計測値）を、グラフにすると、図６に示したようなグラフが得られる。
【００５３】
なお、図６に示したグラフは、ソレノイド型アンテナ２２とアンテナ５１を、所定の距離だけ離して状態で計測したときの結果であり、距離を変えた場合には他の計測値が得られる。しかしながら、特性（グラフの形状）は、距離に係わらず、略同一形状であり、図６に示した測定値は一例であることは言うまでもない。
【００５４】
図６に示したグラフを参照するに、金属板２３がソレノイド型アンテナ２２と重なる量が、０％から５０％まで変化すると、通信相手側で受信できる電圧が徐々に増えることが読み取れる。また、重なり量が５０から８０％程度の範囲で、通信相手側で受信できる電圧が最大に得られることが読み取れる。また、重なり量が８０％以上でも、通信相手側で比較的高い電圧値を得られる受信ができていることが読み取れる。
【００５５】
図示はしないが、図７に示した状態と同様の状態であるが、金属板２３がない状態、換言すれば、ソレノイド型アンテナ２２のみで通信を行った場合、アンテナ５１の電圧モニタ５２での計測値は、0.004ｍＶとなる。図６を参照するに、例えば、オフセットが−５０％の場合でも、０．２ｍＶ程度あり、金属板２３が、ソレノイド型アンテナ２２の近傍にあるだけでも、通信性能が向上することも読み取れる。
【００５６】
このように、金属板２３をソレノイド型アンテナ２２と組み合わせることで、通信性能を向上させることができる。また、図６の結果から、金属板２３のソレノイド型アンテナ２２との重なり量（オフセット）を変えると、通信性能が変わることが読み取れる。このことから、金属板２３のソレノイド型アンテナ２２との重なり量（オフセット）を変えることで、通信性能を調整することができることがわかる。
【００５７】
金属板２３とソレノイド型アンテナ２２の重なり量を、５０〜８０％程度にすることで、通信相手側のアンテナ５１（コイル）との結合を最も強くすることができる。また、金属板２３をソレノイド型アンテナ２２の近傍に配置するだけでも、通信相手側のアンテナ５１（コイル）との結合を強くすることができ、金属板２３とソレノイド型アンテナ２２の重なり量が、０〜１００％であっても、通信性能を向上させるという効果を得ることができる。
【００５８】
本技術によれば、このように、通信性能を向上させることができる。また、その通信性能を、調整することも可能であるため、所望の性能を得ることができる。
【００５９】
このように、金属板２３を、ソレノイド型アンテナ２２と重なる部分があるように配置することで、通信性能が向上することについてさらに説明を加える。
【００６０】
図８、図９は、ソレノイド型アンテナ２２により発生する電磁界のシミュレーション結果を示す図である。図８は、金属板２３が配置されていないソレノイド型アンテナ２２により発生される電磁界を示し、図９は、金属板２３が配置されているソレノイド型アンテナ２２により発生される電磁界を示している。また、図８、図９においては、ソレノイド型アンテナ２２の上方に、通信相手のアンテナ５１を図示し、アンテナ５１の周りの電磁界も示してある。
【００６１】
図８を参照するに、ソレノイド型アンテナ２２による電磁界は、ソレノイド型アンテナ２２の一方の端（図８中左側）から他方の端（図８中右側）に向かう。アンテナ５１においては、図中大きい矢印で示したように、図中左側では、ソレノイド型アンテナ２２からの上向きの電磁界を受けるが、図中右側では、ソレノイド型アンテナ２２からの下向きの電磁界を受ける。
【００６２】
ソレノイド型アンテナ２２の通信相手であるアンテナ５１においては、異なる方向の電磁界を受けることになり、電磁界が打ち消し合ってしまい、ソレノイド型アンテナ２２とアンテナ５１の結合は弱くなってしまう。
【００６３】
これに対して、図９を参照するに、ソレノイド型アンテナ２２と通信相手のアンテナ５１との間に、金属板２３を配置し、その金属板２３が、ソレノイド型アンテナ２２と重なり量が５０％の状態で重なっている場合、アンテナ５１においては、図中大きい矢印で示したように、ソレノイド型アンテナ２２と金属板２３から上向きの電磁界を受ける。
【００６４】
すなわち、金属板２３を配置することで、ソレノイド型アンテナ２２による電磁界は、ソレノイド型アンテナ２２の一方の端（図９中左側）から他方の端（図９中右側）に向かい、金属板２３が配置されていなければ、アンテナ５１において下向きの電磁界を受ける部分も、金属板２３が配置されていることで、上向きの電磁界を受けるようになる。
【００６５】
このことについて、図１０を参照して説明する。時刻Ｔ１において、ソレノイド型アンテナ２２に電流が流されると、時刻Ｔ２において、位置Ｐ１から位置Ｐ０に向かう磁界（磁界Ｔ２とする）が発生する。図１０では、説明のため、金属板２３上にソレノイド型アンテナ２２を図示しているが、ソレノイド型アンテナ２２の位置Ｐ０側は、金属板２３により覆われている。よって、磁界Ｔ２は、ソレノイド型アンテナ２２の位置Ｐ０側に入射する前に、金属板２３により遮断される。
【００６６】
換言すれば、金属板２３には、下向き方向の磁界が入射される。時刻Ｔ３において、金属板２３に、下向き方向の磁界が入射されると、金属板２３の表面に、渦電流（渦電流Ｔ３とする）が発生する。この渦電流Ｔ３が発生することで、時刻Ｔ４において、金属板２３の表面から、上向き方向の磁界（磁界Ｔ４とする）が発生する。
【００６７】
このように、ソレノイド型アンテナ２２の位置Ｐ０側において、下向きの磁界Ｔ２が入射されると、その下向きの磁界Ｔ２を打ち消す方向、すなわち上向き方向に磁界Ｔ４が発生する。
【００６８】
よって、図９に示したように、通信相手のアンテナ５１においては、ソレノイド型アンテナ２２から、上向きの磁界を受けるとともに、金属板２３からも、上向きの磁界を受けることになる。このようにアンテナ５１は、上向きの磁界のみを受け取り、図８を参照して説明したような磁界を打ち消し合うような状況は発生しない。
【００６９】
よって、金属板２３を、ソレノイド型アンテナ２２の一部を覆うように配置することで、磁界が広がり、通信相手との結合を強くすることができ、通信性能を向上させることができる。
【００７０】
＜金属板の他の形状＞
図１１に、金属板２３の他の形状を示す。図１１に示した金属板１０１は、スリット１０２が形成されている。比較のため、再度、図２に示した金属板２３を参照するに、図２に示した金属板２３は、四角形状であり、スリットなどの開口部分は形成されていない。これに対して、図１１に示した金属板１０１には、金属板自体は四角形状であるが、その一部にスリット１０２が形成されている。
【００７１】
このスリット１０２の部分（金属板１０１の開口部分）に、ソレノイド型アンテナ２２が並行に配置される。金属板１０１側から見たとき、ソレノイド型アンテナ２２の一部が、スリット１０２から見えている状態で、金属板１０１は、ソレノイド型アンテナ２２上に配置される。すなわち、上記した金属板２３と同じく、金属板１０１とソレノイド型アンテナ２２は、所定の重なり量を有して配置されている。
【００７２】
重なり量としては、例えば、５０％とすることができる。重なり量が５０％の場合、ソレノイド型アンテナ２２の半分が、金属板１０１と重なり、残りの半分が、スリット１０２から出ている状態となる。
【００７３】
このように、スリット１０２を設けた金属板１０１においても、金属板１０１とソレノイド型アンテナ２２の重なり状態は、上記した金属板２３と同様とすることができるため、その説明は省略する。
【００７４】
上記した金属板２３の場合と同じく、金属板１０１とソレノイド型アンテナ２２の重なり量が、５０〜８０％程度のとき、通信相手との結合を最も強くできる。また、金属板１０１とソレノイド型アンテナ２２の重なり量が、０〜１００％の範囲においても、金属板１０１を設ける効果は得られ、金属板１０１がない場合と比べて、通信相手との結合を強めることができる。
【００７５】
金属板１０１のように、スリット１０２を設けた場合、そのスリット１０２の大きさは、ソレノイド型アンテナ２２よりも大きく形成される。すなわち、図１１に示したように、スリット１０２の幅ｂ’は、ソレノイド型アンテナ２２の径b(図３)よりも大きい幅で形成される。
【００７６】
例えば、スリット１０２の幅ｂ’は、ソレノイド型アンテナ２２の径b（ソレノイド型アンテナ２２が円形の場合、直径に該当する長さ）の１６５％程度（１．６５倍程度）の大きさで形成される。例えば、ソレノイド型アンテナ２２の径bが幅b＝１ｍｍであった場合、スリット１０２の幅ｂ’は幅ｂ’＝１．６５ｍｍ程度に構成することができる。
【００７７】
なお、スリット１０２の幅ｂ’を、ソレノイド型アンテナ２２の径bの１００％程度の大きさで形成した場合、換言すれば、スリット１０２の幅ｂ’を、ソレノイド型アンテナ２２の径bと同程度の大きさ（１倍程度）で形成した場合も、ソレノイド型アンテナ２２で発生した磁界が放出される開口部があるため、上記した金属板２３の場合と同じく、通信性能を向上させることはできる。
【００７８】
さらに、スリット１０２の幅ｂ’を、ソレノイド型アンテナ２２の径ａの１６５％以上とすることで、１００％程度のときよりも、より通信性能を向上させることができることを、本出願人は確認しており、ここでは、一例として、１６５％との数値を示した。
【００７９】
また、スリット１０２が形成されている金属板１０１によると、金属板１０１とソレノイド型アンテナ２２の重なり量だけでなく、スリット１０２の幅ｂ’を調整することで、通信性能を調整することができる。
【００８０】
上記した金属板２３の場合と同じく、金属板１０１においても、金属板１０１とソレノイド型アンテナ２２の重なり量を調整することで、通信性能を調整することができる。さらに、金属板１０１の場合、スリット１０２の幅ｂ’を、ソレノイド型アンテナ２２の径bの０％以上で形成することで、また、その割合（％）を調整することで、通信性能を調整することができる。
【００８１】
ソレノイド型アンテナ２２の径bの０％とは、スリット１０２の幅ｂ’が幅ｂ’＝０ｍｍのときであり、０ｍｍより大きく形成すれば、すなわち、少しでもスリット１０２を形成すれば、そのスリット１０２から、磁界が放射されるため、通信性能は、金属板がない場合と比べて向上させることができる。
【００８２】
また、仮に、ソレノイド型アンテナ２２の径bの０％（スリット１０２の幅ｂ’が幅ｂ’＝０ｍｍ）に形成した場合であっても、スリット１０２がない金属板１０１、すなわち、金属板２３と同じ形状となるだけであり、金属板２３が、ソレノイド型アンテナ２２上を完全に覆う（重なり量＝１００％）の状態であっても、金属板がない場合と比べて通信性能が向上することは既に説明した。
【００８３】
よって、スリット１０２の幅を調整することで、また、金属板１０１とソレノイド型アンテナ２２の重なり量を調整することで、通信性能を調整することができ、所望とされる通信性能にアンテナ装置２１を構成することが可能である。
【００８４】
＜金属板のさらに他の形状＞
上記した金属板２３や金属板１０１は、ソレノイド型アンテナ２２の上方（通信相手側）に配置される金属板として説明した。
【００８５】
さらに、図１２に示すように、ソレノイド型アンテナ２２の下方にも金属板を設けても良い。また、図１２に示すように、ソレノイド型アンテナ２２を囲むような金属板として形成しても良い。図１２は、ソレノイド型アンテナ２２を側面から見たときの図である。
【００８６】
図１２に示した金属板２０１は、ソレノイド型アンテナ２２の上方（図中上側であり、通信相手側が位置する側）には、重なり量が所定の割合で重なるように形成されている金属板２０１ａが配置されているとともに、ソレノイド型アンテナ２２の下方には、ソレノイド型アンテナ２２全体を覆うような金属板２０１ｂが配置されている。
【００８７】
図１２に示した金属板２０１には、金属板２０１ａと金属板２０１ｂとの間に、穴２２１が形成されている場合を示している。図１２では、金属板２０１の下側の金属板２０１ｂの図中右端に近い部分に穴２２１が形成されている例を示した。
【００８８】
穴２２１を形成することで、ソレノイド型アンテナ２２の一端から下面方向に出た磁界が、下面の金属板に沿って、穴２２１からソレノイド型アンテナ２２の他端に戻るようにする構成とすることができる。
【００８９】
また、ソレノイド型アンテナ２２の上方に出た磁界が、金属板２０１ａに沿って、穴２２１からソレノイド型アンテナ２２に戻るようにする構成とすることができる。
【００９０】
なお、図１２では、穴２２１の前後で、金属板２０１が金属板２０１ａと金属板２０１ｂとに分離されているかのように記載されているが、図１３に示したように、金属板２０１ｂの一部に、例えば四角形状や円形形状の穴が形成されている。図１３は、金属板２−１ｂを下側から見たときの図である。
【００９１】
穴２２１の形状は、図１３のＡに示したように、四角形状とすることができる。図１３のＡでは、長方形を示したが、正方形や多角形などの形状でも良い。また、図１３のＡに示したように、穴２２１を長方形で形成した場合、その長辺の長さを長さｆとすることができる。また、この長方形で形成された穴２２１からは、仮に、アンテナ装置２１を、下方向（金属板２０１ｂ側）からみたとき、ソレノイド型アンテナ２２の一部が見える位置に形成されている。また、図１３のＡに点線で示した位置に、スリット１０２は、形成されている。
【００９２】
図１３のＢに示したように、円形状で穴２２１を形成しても良い。図１３のＢでは、円形状を示したが、楕円形状などの形状でも良い。また、図１３のＢに示したように、穴２２１を円形状で形成した場合、その直径を長さｆとすることができる。穴２２１を楕円形状で形成した場合、その長径（又は短径）を長さｆとすることができる。円形状の場合も、円形状で形成された穴２２１からは、仮に、アンテナ装置２１を、下方向からみたとき、ソレノイド型アンテナ２２の一部が見える位置に形成されている。また、図１３のＢに点線で示した位置に、スリット１０２は、形成されている。
【００９３】
図１３のＣに示したように、複数の長方形で穴２２１が形成されても良い。図１３のＣでは、複数の四角形状の穴から穴２２１が形成されている場合を示したが、複数の円形状、楕円形状、正方形などの穴から穴２２１が形成されていても良い。また、複数の異なる形状の穴で、穴２２１が形成されていても良い。例えば、円形状の複数の穴と四角形状の複数の穴が形成され、それら複数の穴から、穴２２１が形成されていても良い。
【００９４】
図１３のＣに示した穴２２１の場合も、複数の穴で形成された穴２２１からは、仮に、アンテナ装置２１を、下方向からみたとき、ソレノイド型アンテナ２２の一部が見える位置に形成されている。また、図１３のＣに点線で示した位置に、スリット１０２は、形成されている。
【００９５】
図１３のＡ乃至Ｃに示したように、穴２２１とスリット１０２は、重なりが無い位置にそれぞれ形成されている。
【００９６】
ここで例示した穴２２１の形状や大きさは、一例であり、限定を示す記載ではない。また、穴２２１の形状や大きさは、ソレノイド型アンテナ２２が配置される製品の形状、例えば、後述する腕時計のベルトなどの形状により、適宜設定される。またその設定の際、ソレノイド型アンテナ２２の大きさが考慮されて設定されてもよい。
【００９７】
穴２２１の大きさとしては、図１４に示すように、幅ｆで形成しても良い。図１４に示した穴２２１の幅ｆは、図１２に示した幅ｆよりも長い幅とされている。また、幅ｆの一端は、スリット１０２の一端と略同位置の位置Ｐ１１とされている。
【００９８】
金属板２０１の形状は、図１２や図１４に示した形状に限定されるのではなく、例えば、図１５に示したような形状であっても良い。図１５に示した金属板２０１は、下部に形成されている金属板２０１ｂが、Ｌ字型に形成されている。図１５に示したアンテナ装置２１は、ソレノイド型アンテナ２２の上側と下側に、Ｌ字型の形状をした金属板２０１を備えている。
【００９９】
図１５では、図１４に示したアンテナ装置２１に対して、Ｌ字型の金属板２０１を適用した場合を例示したが、図１２に示したアンテナ装置２１に対してＬ字型の金属板２０１を備える構成とすることもできる。
【０１００】
下部に備えられる金属板２０１ｂをＬ字型とすることで、ソレノイド型アンテナ２２の一端（図１５では左型の端）から出た磁界が、Ｌ字型に形成されている金属板２０１ｂにより、上方に向きが変えられ、より多くの磁界が上方に発生するような構成とすることができる。
【０１０１】
図１５に示した金属板２０１の場合、金属板２０１は、直方体や円筒といた形状に形成され、その上面にスリット１０２が形成され、裏面に穴２２１が形成されている。そして、その内部にソレノイド型アンテナ２２が配置されている構成とされている。
【０１０２】
このような穴２２１が形成されている金属板２０１、ここでは、図１２に示した金属板２０１を、ソレノイド型アンテナ２２に配置すると、図１６に示したように電磁界が発生する。図１６を参照するに、ソレノイド型アンテナ２２と通信相手のアンテナ５１との間に、金属板２０１を配置し、その金属板２０１が、ソレノイド型アンテナ２２と重なり量が５０％の状態で重なっている場合、アンテナ５１においては、図中大きい矢印で示したように、ソレノイド型アンテナ２２と金属板２０１から上向きの電磁界を受ける。
【０１０３】
これは、図９を参照して説明した場合と同様（金属板２３の場合と同様）である。よって、図１２乃至図１５に示したような金属板２０１の場合も、上記した場合と同じく、ソレノイド型アンテナ２２からの磁界が広がり、通信相手との結合を強くすることができ、通信性能を向上させることができる。
【０１０４】
また、金属板２０１は、下部に穴２２１を有するため、その穴２２１から、戻りの磁界を受け入れることができる。例えば、ソレノイド型アンテナ２２から上側に発生した磁界の一部は、金属板２０１ａ沿いに穴２２１まで移動し、穴２２１から、金属板２０１内に戻る。このように、穴２２１を形成することで、ソレノイド型アンテナ２２の一端から下面方向に出た磁界が、下面の金属板に沿って、穴２２１からソレノイド型アンテナ２２の他端に戻るようにする構成とすることができる。
【０１０５】
このように、ソレノイド型アンテナ２２に磁界が戻る構造とするためには、穴２１１は、図１２や図１４などで示したように、ソレノイド型アンテナ２２の下側、換言すれば通信相手側が位置する側とは逆側、さらに換言すればスリット１０２が形成されている側とは逆側に設けられれば良い。
【０１０６】
また、図１７に示すように、金属板２０１の側面に穴２１１が形成されても良い。金属板２０１の側面に穴２２１が形成された場合、ソレノイド型アンテナ２２の中心よりも下側となる位置に形成される。
【０１０７】
図１７に示すように金属板２０１の上面の位置を位置Ｐ２１（金属板２０１の厚みを考慮した場合、その厚みの半分の位置とする）とし、金属板２０１の下面の位置を位置Ｐ２２とし、位置Ｐ２１と位置Ｐ２２の間の高さを高さｈ１とする。また、ソレノイド型アンテナ２２の中心芯の位置を位置Ｐ３１とし、金属板２０１の上面の位置Ｐ２１と位置Ｐ３１までの高さを高さｈ２とする。
【０１０８】
穴２１１を金属板２０１の側面に形成する場合、穴２１１は、ソレノイド型アンテナ２２の中心芯の位置Ｐ３２よりも下側に形成される。上記したように、穴２１１は、ソレノイド型アンテナ２２から発生した磁界の戻りを吸収するために設けられるため、ソレノイド型アンテナ２２の中心芯よりも下方に形成される。
【０１０９】
このように、穴２１１は、金属板２０１の側面であり、ソレノイド型アンテナ２２の中心芯よりも下側（通信相手が位置する側を上側としたときの下側）に形成されるようにしても良い。
【０１１０】
図１７では、Ｌ字型ではない金属板２０１ｂを図示したが、図１５に示したようなＬ字型の金属板２０１ｂを適用しても良い。
【０１１１】
ソレノイド型アンテナ２２の配置位置は、できるだけ、上側の金属板２０１ａに近い方が良い。図１７において、ソレノイド型アンテナ２２と金属板２０１との間の距離を距離ｇとしてある。この距離ｇは、できるだけ小さく、かつソレノイド型アンテナ２２と金属板２０１が接触することがない距離とされる。
【０１１２】
仮に、距離ｇを大きくすると、すなわち、ソレノイド型アンテナ２２と金属板２０１が離れていると、ソレノイド型アンテナ２２で発生した磁界が、金属板２０１内でループし、金属板２０１外に出る量が少なくなってしまう。
【０１１３】
よって、ソレノイド型アンテナ２２の位置は、ソレノイド型アンテナ２２と、金属板２０１が接触することがない位置であるが、ソレノイド型アンテナ２２と金属板２０１の間が最小となる位置に配置されるのが良い。例えば、ソレノイド型アンテナ２２と金属板２０１との間の距離ｄは、ソレノイド型アンテナ２２の直径ｂの０％より大きく、１００％以下とすることができる。
【０１１４】
このことは、図２などを参照して説明した、ソレノイド型アンテナ２２の上方に金属板２３が配置されている場合も同様であり、金属板２３とソレノイド型アンテナ２２は接触しない位置であり、できるだけ近い位置に配置されるのが良い。
【０１１５】
上述したように、例えば図１２に示したように金属板２０１を形成した場合、金属板２０１を筐体として用いることができる。例えば、図１８に示すように、金属板２０１が、腕時計のベルトの一部を構成するようにすることができる。
【０１１６】
図１８に示した腕時計３０１のベルト３０２の一部を、金属板２０１とする。金属板２０１には、図１１を参照して説明したスリット１０２が形成されている。すなわち、金属板２０１の上面は、図１１の金属板１０１と同様の構成とされ、スリット１０２が形成されている。
【０１１７】
金属板２０１は、ベルト３０２の一部を構成し、ソレノイド型アンテナ２２を内包する筐体としても機能している。換言すれば、ベルト３０２を構成する１筐体内に、ソレノイド型アンテナ２２が内包され、その筐体の一部にスリット１０２が形成され、そのスリット１０２から、内包されているソレノイド型アンテナ２２の例えば、５０％に該当する部分が露出している状態とされている。
【０１１８】
このように、ソレノイド型アンテナ２２の通信性能を向上させるための金属板を、所定の装置を構成する一部分に適用することもできる。換言すれば、上記したアンテナ装置２１を備える通信装置を、所定の装置を構成する一部分に含まれるように構成することもできる。
【０１１９】
また、例えば図１８に示したように、腕時計３０１のベルト３０２の一部として、スリット１０２が形成されている金属板２０１が用いられる場合、スリット１０２の部分は、例えばプラスチックなどの磁界を遮断しない物質で覆われているようにしても良い。
【０１２０】
換言すれば、スリット１０２から、内部に水や誇りなどが入らないように、磁界を遮断しない物質で、スリット１０２の部分を加工した構成とすることもできる。また、スリット１０２の部分を、腕時計３０１のデザインの一部とすることも可能である。
【０１２１】
ここでは、腕時計を例に挙げて説明したが、本技術が適用されたアンテナ装置２１を含む装置としては、腕時計以外のウエアラブル装置や、上記したように無線タグなどであっても良い。
【０１２２】
また、上記した金属板（金属板２３、金属板１０１、または金属板２０１）としては、プラスチックやセラミックなどの非金属に金属を被覆したもの、プラスチックやセラミックなどの非金属に金属を複合したものを用いることができる。
【０１２３】
また、上記した金属板は、銅や鉄などの純金属、ＳＵＳ（ステンレス鋼）などの特殊鋼、合金などを用いて形成されたものでも良い。
【０１２４】
本技術によると、ソレノイド型アンテナにより、平面スパイラル型アンテナに比べて大幅な小型化、専有面積縮小化を実現しつつ、さらに通信特性を向上させることが可能となる。
【０１２５】
＜ソレノイド型アンテナの他の形状＞
上述した実施の形態におけるソレノイド型アンテナ２２は、例えば、図３に示したように、ワイヤが円筒形状に加工されている場合を例に挙げて説明した。本技術は上記した形状にかかわらず、他の形状であっても適用できる。ここで、一例としてソレノイド型アンテナの他の形状について説明を加える。
【０１２６】
図１９は、ソレノイド型アンテナの他の形状を表す図である。図１９に示したソレノイド型アンテナ５０１は、フェライトなどの磁性体基板５１１に、上面と下面に金属を線状（以下、金属線５１２とする）に形成し、上面と下面に形成された金属線５１２を、縦方向に貫通されたビア５１３で接続した構成とされている。
【０１２７】
例えば、図１９中に符号を付したビア５１３−１とビア５１３−２は、金属線５１２−１で接続されている。ビア５１３−２とビア５１３−３は、磁性体基板５１１の下面に形成されている金属線５１２−２（図１９では不図示）により接続されている。ビア５１３−３は、金属線５１２−３と接続されている。
【０１２８】
図１９では、磁性体基板５１１の上面のみ図示してあるため、金属線５１２−１と金属線５１２−３は接続されていないように図示されているが、下面の金属線５１２−２により接続されている。
【０１２９】
よって、金属線５１２は、渦巻き形状に形成されている。
【０１３０】
図１９に示したソレノイド型アンテナ５０１において、線分Ａ−Ａ’における断面図、線分Ｂ−Ｂ’における断面図、および線分Ｃ−Ｃ’における断面図を図２０に示す。
【０１３１】
図２０のＡは、線分Ａ−Ａ’における断面図である。線分Ａ−Ａ’は、図１９中、磁性体基板５１１の略中央部分の縦方向に引いた線分である。線分Ａ−Ａ’におけるソレノイド型アンテナ５０１の断面は、上面と下面に、それぞれ金属線５１２が形成されている。上面に形成されている金属線５１２と下面に形成されている金属線５１２は、異なる位置に形成されている。
【０１３２】
図２０のＢは、線分Ｂ−Ｂ’における断面図である。線分Ｂ−Ｂ’は、図１９中、磁性体基板５１１にビア５１３が形成されている部分の縦方向に引いた線分である。線分Ｂ−Ｂ’におけるソレノイド型アンテナ５０１の断面は、磁性体基板５１１を貫通するビア５１３が形成され、ビア５１３の内部は、金属が充填されている。ビア５１３の上部で、磁性体基板５１１の上面に形成されている金属線５１２と接続され、ビア５１３の下部で、磁性体基板５１１の下面に形成されている金属線５１２と接続されている。
【０１３３】
図２０のＣは、線分Ｃ−Ｃ’における断面図である。線分Ｃ−Ｃ’は、図１９中、磁性体基板５１１の上面に形成されている金属線５１２に沿った方向に引いた線分である。線分Ｃ−Ｃ’におけるソレノイド型アンテナ５０１の断面は、ビア５１３が左右にそれぞれ形成され、そのビア５１３同士を接続するように金属線５１２が形成されている。
【０１３４】
このように、磁性体基板５１１の上面と下面に、線状の金属線５１２を複数形成し、ビア５１３で接続することで、ソレノイド型アンテナ５０１が形成されている。
【０１３５】
図１９では、磁性体基板５１１の形状を直方体で表したが、円柱などでも良く、例えば、円柱で形成した場合、円柱の底面と上面に金属線５１２が形成される。
【０１３６】
ソレノイド型アンテナ５０１を、上記したソレノイド型アンテナ２２（例えば図２に記載）の代わりに用いることができる。すなわち、図２１に示すように、アンテナ装置２１を、ソレノイド型アンテナ５０１と金属板２３で構成することができる。
【０１３７】
ソレノイド型アンテナ５０１の巻き方向は、通信相手側のコイル（アンテナ、例えば図７に示したアンテナ５１）が配置される面に対して平行、すなわち、なす角が０度に対して、±９０度となるように配置されている。
【０１３８】
図２１に示したように、ソレノイド型アンテナ５０１の長さを長さａとし、厚さを厚さｂとした場合、一例として、長さａ＝１０ｍｍ、厚さｂ＝１ｍｍに構成することができる。
【０１３９】
ソレノイド型アンテナ５０１の大きさ（厚さｂ）は、磁性体基板５１１の厚さに依存する。磁性体基板５１１を薄く形成することで、薄型のソレノイド型アンテナ５０１を形成することができる。例えば、磁性体基板５１１の厚さを１ｍｍ程度とした場合、ソレノイド型アンテナ５０１の縦方向の大きさ（厚さｂ）も約１ｍｍ程度となる。
【０１４０】
ソレノイド型アンテナ５０１は、磁性体基板５１１を内部に含む構成とされているため、磁性体基板５１１の厚さを１ｍｍ以下、例えば、０．５ｍｍで構成した場合も、磁性体基板５１１の強度により、ソレノイド型アンテナ５０１の形状が崩れるようなことなく形成することが可能である。磁性体基板５１１の厚さを０．５ｍｍ程度で構成した場合、ソレノイド型アンテナ５０１の厚さｂも、０．５ｍｍ程度となる。
【０１４１】
図２１を参照するに、アンテナ装置２１は、ソレノイド型アンテナ５０１上に、所定の間隔を開けて金属板２３が配置された構成とされている。ソレノイド型アンテナ５０１の配置位置は、できるだけ、上側の金属板２３に近い方が良い。図２１において、ソレノイド型アンテナ５０１と金属板２３との間の距離は距離ｃとしてある。この距離ｃは、できるだけ小さく、かつソレノイド型アンテナ２２と金属板２０１が接触することがない距離とされる。
【０１４２】
例えば、ソレノイド型アンテナ５０１と金属板２３との間の距離ｄは、ソレノイド型アンテナ５０１の厚さｂの０％より大きく、２００％以下とすることができる。なお、０％は、ソレノイド型アンテナ５０１と金属板２３が接触している状態を表す。
【０１４３】
例えば、ソレノイド型アンテナ５０１の厚さｂを０．５ｍｍとし、ソレノイド型アンテナ５０１と金属板２３との間隔ｃを１ｍｍとした場合、ソレノイド型アンテナ５０１と金属板２３との間の距離ｃは、ソレノイド型アンテナ５０１の厚さｂの２００％となる。
【０１４４】
ソレノイド型アンテナ５０１を用いた場合も、ソレノイド型アンテナ２２（例えば、図２に図示）と同じく、図２１に示すように、金属板２３は、ソレノイド型アンテナ５０１の一部を覆うように配置される。金属板２３が、ソレノイド型アンテナ５０１を覆う部分の大きさ（長さ）により、通信性能を調整することができる。
【０１４５】
金属板２３が、ソレノイド型アンテナ５０１を覆う量（金属板２３とソレノイド型アンテナ５０１の重なり量）は、例えば、図４などを参照して説明したソレノイド型アンテナ２２の場合と同様である。
【０１４６】
図２２に示すように、ソレノイド型アンテナ５０１は、回路基板やＩＤ基板などの基板５５１に埋め込み型で形成したり、一体型に形成したりすることができる。基板５５１は、回路基板やＩＣ基板などであり、シリコン基板、セラミック基板、有機基板などである。
【０１４７】
このような基板５５１に、ソレノイド型アンテナ５０１は一体化形成されている。またはこのような基板５５１に、ソレノイド型アンテナ５０１は埋め込まれた構造とされている。
【０１４８】
ソレノイド型アンテナ５０１は、上記したように、薄型に形成することができるため、回路基板などの基板５５１と一体化形成したり、埋め込み形成したりすることができる。
【０１４９】
図２２に示したような基板５５１と一体化されたソレノイド型アンテナ５０１においても、図２３に示すように、金属板２３が上部に備えられることでアンテナ装置２１を構成する場合、基板５５１と金属板２３は、距離ｄだけ離れた位置に配置される。
【０１５０】
図２４を参照し、ソレノイド型アンテナ５０１の製造について説明を加える。図２４では、図１９の線分Ｂ―Ｂ’の部分であり、ビア５１３の部分を拡大して図示してある。
【０１５１】
工程Ｓ１１において、フェライトなどの磁性体基板５１１が用意される。
【０１５２】
工程Ｓ１２において、磁性体基板５１１に、フォトリソグラフィなどの手法が用いられてパターニングが行われ、ＲＩＥ（Reactive Ion Etching）などの手法が用いられてエッチングが行われることで、ビア５１３が形成される。
【０１５３】
工程Ｓ１３において、磁性体基板５１１の上面と下面に、蒸着あるいはスパッタなどの手法により、金属６０１が被着される。
【０１５４】
工程Ｓ１４において、被着された金属に、フォトリソグラフィなどの手法が用いられてパターニングが行われ、ＲＩＥ（Reactive Ion Etching）やイオンミリングなどの手法が用いられてエッチングが行われることで、アンテナのパターン（金属線５１２を形成する部分）が形成される。
【０１５５】
工程Ｓ１５において、電界または無電界によるメッキが行われることにより、ビア５１３内に金属が充填され、ビアの結合が行われる。また、パターニングされた部分にも金属が被着されることで、金属線５１２が形成される。図２４では、図１９の線分Ｂ−Ｂ’の部分を示しているため、ビア５１３の間の金属線５１２は切断された状態であるが、図１９の線分Ｃ−Ｃ’の部分を図示した場合、図２０のＣに示したように、ビア５１３同士を繋ぐ１本の金属線５１２として形成されている。
【０１５６】
このような工程で、ソレノイド型アンテナ５０１が形成される。
【０１５７】
本技術によると、ソレノイド型アンテナにより、平面スパイラル型アンテナに比べて大幅な小型化、専有面積縮小化を実現しつつ、さらに通信特性を向上させることが可能となる。
【０１５８】
本明細書において、システムとは、複数の装置により構成される装置全体を表すものである。
【０１５９】
なお、本明細書に記載された効果はあくまで例示であって限定されるものではなく、また他の効果があってもよい。
【０１６０】
なお、本技術の実施の形態は、上述した実施の形態に限定されるものではなく、本技術の要旨を逸脱しない範囲において種々の変更が可能である。
【０１６１】
なお、本技術は以下のような構成も取ることができる。
（１）
ソレノイドコイル型のソレノイド型アンテナと、
前記ソレノイド型アンテナの長さ方向で重なる部分があるように配置された金属板と
を備えるアンテナ装置。
（２）
前記重なる部分は、前記ソレノイド型アンテナの長さの５０乃至８０％の長さに相当する部分である
前記（１）に記載のアンテナ装置。
（３）
前記重なる部分は、前記ソレノイド型アンテナの長さの０乃至１００％の長さに相当する部分である
前記（１）に記載のアンテナ装置。
（４）
前記金属板には、スリットが形成され、
前記スリットと並行に前記ソレノイド型アンテナが配置されている
前記（１）乃至（３）のいずれかに記載のアンテナ装置。
（５）
前記スリットの幅は、前記ソレノイド型アンテナの幅の１倍以上で形成されている
前記（４）に記載のアンテナ装置。
（６）
前記金属板の前記スリットが形成されている側と逆側に穴が形成されている
前記（４）に記載のアンテナ装置。
（７）
前記穴は、前記ソレノイド型アンテナの中心芯よりも、下方に形成されている
前記（６）に記載のアンテナ装置。
（８）
前記スリットと前記穴は、重なる部分がない
前記（６）に記載のアンテナ装置。
（９）
前記ソレノイド型アンテナは、前記金属板に、接触しない位置であり、かつ最小となる距離を保って配置されている
前記（１）乃至（８）のいずれかに記載のアンテナ装置。
（１０）
前記ソレノイド型アンテナと前記金属板との間の距離は、前記ソレノイド型アンテナの直径の０％以上であり、１００％以下である
前記（１）乃至（８）のいずれかに記載のアンテナ装置。
（１１）
前記金属板は、筐体として機能する
前記（１）乃至（１０）のいずれかに記載のアンテナ装置。
（１２）
前記金属板は、非金属に金属を被覆したもの、または非金属と金属を複合したものである
前記（１）乃至（１１）のいずれかに記載のアンテナ装置。
（１３）
前記ソレノイド型アンテナは、磁性体材料をコア材とし、前記コア材に金属を巻き付けたソレノイドで構成されている
前記（１）乃至（１２）のいずれかに記載のアンテナ装置。
（１４）
前記ソレノイド型アンテナは、
磁性体基板の上面と下面に、線状に形成された金属線と、
前記上面に形成された前記金属線と前記下面に形成された金属線を接続するビアと
を備える
前記（１）に記載のアンテナ装置。
（１５）
前記ソレノイド型アンテナと前記金属板との間の距離は、前記ソレノイド型アンテナの厚さの０％より大きく、２００％以下である
前記（１４）に記載のアンテナ装置。
（１６）
前記アンテナ装置は、基板と一体化または埋め込まれている
前記（１４）または（１５）に記載のアンテナ装置。
（１７）
ソレノイドコイル型のソレノイド型アンテナと、
前記ソレノイド型アンテナの長さ方向で重なる部分があるように配置された金属板と
を備え、
前記金属板は、筐体の一部をなし、
前記筐体に前記ソレノイド型アンテナが内包され、
前記ソレノイド型アンテナの一部分は、前記金属板と重なり、残りの部分は、スリットの部分に配置されている
通信装置。
【符号の説明】
【０１６２】
２１  アンテナ装置，  ２２  ソレノイド型アンテナ，  ２３  金属板，  １０１  金属板，  １０２  スリット，  ２０１  金属板
【図１】
2019044570.tif 000003
【図２】
2019044570.tif 000004
【図３】
2019044570.tif 000005
【図４】
2019044570.tif 000006
【図５】
2019044570.tif 000007
【図６】
2019044570.tif 000008
【図７】
2019044570.tif 000009
【図８】
2019044570.tif 000010
【図９】
2019044570.tif 000011
【図１０】
2019044570.tif 000012
【図１１】
2019044570.tif 000013
【図１２】
2019044570.tif 000014
【図１３】
2019044570.tif 000015
【図１４】
2019044570.tif 000016
【図１５】
2019044570.tif 000017
【図１６】
2019044570.tif 000018
【図１７】
2019044570.tif 000019
【図１８】
2019044570.tif 000020
【図１９】
2019044570.tif 000021
【図２０】
2019044570.tif 000022
【図２１】
2019044570.tif 000023
【図２２】
2019044570.tif 000024
【図２３】
2019044570.tif 000025
【図２４】
2019044570.tif 000026
【国際調査報告】
2019044570.tif 000027
2019044570.tif 000028
2019044570.tif 000029
2019044570.tif 000030